(57)【要約】      （修正有） 【課題】最後まで使い切ることができる紙製太筒芯を提供する。【解決手段】紙製太筒芯成形用内側芯部材を巻軸として、数巻き略硬く巻き付け積層を形成したトイレットペーパーを、紙製太筒芯成形用外側覆部材で挟んで略嵌合する形で圧力をかけて太筒芯を作成して、ボール紙製の厚紙材の太筒芯の代用にし、トイレットペーパーとして使い切る。【選択図】図１
0003133430.tif 000002
【実用新案登録請求の範囲】
【請求項１】
巻軸に、巻き重ねて筒状に積層したトイレットペーパー用紙を、筒の内側と外側から同時に加圧・圧縮して製品化したことを特徴とするトイレットペーパーロールの太筒芯
【請求項２】
巻軸に、巻き重ねて筒状に積層したトイレットペーパー用紙を、筒の内側と外側から同時に加圧・圧縮して、全体に凹凸をつけて作成し、中芯としての強度を大きくし、同時に紙質を柔軟にしたことを特徴とするトイレットペーパーロールの太筒芯
【請求項３】
巻軸に、巻き重ねて筒状に積層したトイレットペーパー用紙を、筒の内側と外側から同時に加圧・圧縮して、全体に凹凸をつけて作成し、中芯としての強度を大きくし、同時に紙質を柔軟にし、筒状の用紙の端部を摘み易く切断して、指先で摘んで引っ張り簡単に巻解しトイレットペーパー同様に使用できることを特徴とするトイレットペーパーロールの太筒芯
【請求項４】
巻軸に、巻き重ねて筒状に積層したトイレットペーパー用紙を、筒の内側と外側から同時に加圧・圧縮して、全体に凹凸をつけて作成し、中芯としての強度を大きくし、同時に紙質を柔軟にし、筒状の用紙の端部を摘み易く切断して、端部の裏面に平時は貼着していて上方向からの引っ張りには容易に剥がれる薄力の糊付け部を設けたことを特徴とするトイレットペーパーロールの太筒芯
【考案の詳細な説明】
【技術分野】
【０００１】
本考案は、一般家庭用トイレットペーパーロールホルダーの太軸部に、装着可能なトイレットペーパーロールの紙製太筒芯であり、トイレットペーパー用紙を巻き重ねて筒状に積層を形成し、筒の内側と外側から同時に加圧圧縮して凹凸を形成し、トイレットペーパーロールの中芯の役目を完了した後は、引き続き自らもトイレットペーパーとして、使い切られることを目的とした太筒芯と、その製造方法に関する。
【背景技術】
【０００２】
現在 一般的なトイレットペーパーロールは、トイレットペーパーと太筒芯とが別々になっており、その太筒芯はボール紙製の厚紙材にて形成された直径4ｃｍ内外の円筒体であるか、直径4ｃｍ内外の薄紙製の円筒体である。他には、最初から太筒芯を使用しない「太筒芯なしトイレットペーパーロール」所謂コアレストイレットペーパーロールが研究・開発され、製作・販売されている。コアレストイレットペーパーロールは、ロール中心部の孔内径が特に小さいタイプと、一般家庭用トイレットペーパーロールホルダーの太軸部に装着可能な、孔内径の大きなタイプとが存在している。
【考案の開示】
【考案が解決しようとする課題】
【０００３】
現在 一般的なトイレットペーパーロールは、トイレットペーパーと太筒芯とが別々になっており、その太筒芯は直径4ｃｍ内外のボール紙製の厚紙材にて形成された円筒体であるか、直径4ｃｍ内外の薄紙製の円筒体である。中心部に用いられている太筒芯はボール紙製の厚紙材がその大半を占めているがこのような太筒芯はトイレットペーパーを使用し終った後 トイレットペーパーロールホルダーの太軸部から外され家庭用可燃ゴミとして放棄されるか、又はリサイクル可能な資源ゴミとして回収され再利用されている。家庭用可燃ゴミとして放棄された場合、以後は焼却されて全くの資源の無駄使いとなり、一方資源ゴミとして再利用される場合も、そのままの形で利用される事は少なく 別の製品として加工される事が多い為、その処理に手間も経費も掛かるのが実状である。紙の原材料は木材であり木材調達による 森林伐採の弊害を考える上からも 又資源の有効活用を考える上からも、日本中で大量に放棄されるこのボール紙製太筒芯の無駄を無くす為に様々な取り組みがなされている。直径4ｃｍ内外の薄紙製円筒体と、その円筒体に最初から最後まで柔らかく巻き付けられたトイレットペーパーロール及び、直径4ｃｍ内外の薄紙製円筒体と、その円筒体に最初の数巻きを硬く後は最後まで柔らかく巻き付けられたトイレットペーパーロール〔特開２００３―９３２６６号参照〕も放棄されるゴミの量的には差があるものの前記と同様である。この解決策として、最初から太筒芯を使用しない「太筒芯なしトイレットペーパーロール」所謂コアレストイレットペーパーロールが研究・開発され、製作・販売されている。コアレストイレットペーパーロールは、ロール中心部の孔内径が特に小さいタイプと、一般家庭用トイレットペーパーロールホルダーの太軸部に装着可能な、孔内径の大きなタイプとが存在している。そのロール中心部の孔内径が特に小さいタイプではトイレットペーパーロールホルダーの軸部も直径の小さいものが使用されているため一般家庭用トイレットペーパーロールホルダーには使用することができない。またロール中心部の孔内径が特に小さいタイプと、一般家庭用トイレットペーパーロールホルダーの太軸部に装着可能な、孔内径の大きなタイプのいずれも、殆ど最初から最後まで略硬く巻き付けた製品が主流であるが、これはトイレットペーパーを巻いたロール中心側の一部をコアとして形成するためには、最初から最後まで硬く巻くことが必須条件だったことによる。〔実公平６―４７３５６号参照〕また、全体が略柔らかく巻き付けられたソフトタイプのコアレストイレットペーパーロールも販売されているが、その巻き初めのロール中心側のトイレットペーパーは接着剤にて接着されて筒状芯部が形成されている。〔特開平７―２３９５号参照〕現在 最も販売されている一般的なトイレットペーパーロールは、トイレットペーパーと太筒芯とが別々になっており、その太筒芯はボール紙製の厚紙材にて形成された円筒体であるが、今後地球温暖化や森林破壊が大きな社会問題として真剣に議論される時には、コアレストイレットペーパーロールが現実に販売されている以上、このコアレストイレットペーパーロールのみが唯一の適合商品として認められる可能性も考えられる。その場��現在稼動している工場は、新たに資本を投入して製造工程の刷新を図りコアレストイレットペーパーロールを製造するか、他の方法でコアレストイレットペーパーロール同様の効果を持つトイレットペーパーロールを製作する必要がある。
【課題を解決するための手段】
【０００４】
上記の問題を解決する為に試行錯誤の結果、現在稼動している工場の設備を使用して、工場の製造工程はそのまま、本考案の太筒芯を使用するだけで、トイレットペーパーと太筒芯とが別々になっているトイレットペーパーロールに、コアレストイレットペーパーロールと同等の効果を持たせ、コアレストイレットペーパーロールと同様に、最後まで使い切ることができるようになった。また本考案の太筒芯を、現在操業中のトイレットペーパーロール製造会社に導入して貰うには、現在使用されている太筒芯と機能的に大きな差異がないこと、太筒芯として充分な強度を備えていること、大量生産が可能であり安価であること等の付帯条件が必要となるが、いずれも可能であり、その需要に答えられる。 
【考案の効果】
【０００５】
新たに資本を投入して、製造工程の刷新を図る必要がなく、現在稼動している工場の設備を使用して、工場の製造工程はそのまま、本考案の太筒芯を使用するだけで、トイレットペーパーと太筒芯とが別々になっているトイレットペーパーロールに、コアレストイレットペーパーロールと同等の効果を持たせ、コアレストイレットペーパーロールと同様に、最後まで使い切ることができるとなれば、導入を考慮するトイレットペーパーロール製造会社も期待でき、実現されれば資源の無駄使いをなくすことに貢献できる。
【考案を実施するための最良の形態】
【０００６】
本考案太筒芯の、形態及び製作方法を、図面によって説明する。
・  図１は三分割された、紙製太筒芯成形用内側芯部材・ 以下芯部材4 を巻軸として略硬く巻き重ね積層2 を形成したトイレットペーパー1 と三分割された紙製太筒芯成形用外側覆部材・ 以下覆部材9 の斜視図である。この図の中で、第二段階の芯部材4 は凸部5 凹部6 を備え、積層2  と摘み部3 を備えたトイレットペーパー1 を、凸部10 凹部11を備えた第一段階の覆部材9 で挟んでいる。
・  図１の三分割された覆部材9 を、第二段階として、トイレットペーパー1 に接着させるまで内側に窄める。
・  図１の三分割された芯部材4 は、第三段階として、芯の内空間8 を大きくすることで、三分割された芯部材内の間隙7 を均等に広げ、同時に トイレットペーパー1 を挟んで覆部材9 は、第三段階として、芯部材凸部5に凹部11、芯部材凹部6 に凸部10 が略嵌合する形で内側に窄めてトイレットペーパー1を加圧・圧縮する。
・  覆部材9 を第一段階に広げて戻し、次に、芯部材4 の芯の内空間8 を、三分割された芯部材内の間隙7 が互いに接着する第一段階にまで窄める。
・  圧縮され、芯部材4 同様の凹凸を成形したトイレットペーパー1 を芯部材4 から抜いてとりだして、摘み部3 の裏面に、平時には貼着しているものの上方向の引っ張りには容易に剥がれる薄力の糊付け部15 を設けて太筒芯13 を作成する。これによりトイレットペーパーロール本体最終端部の糊付け部の接着力と糊付け部15の接着力の差を確保することが出来、トイレットペーパーロール本体最終端部に続いて、その接着力の差で太筒芯13 を巻き解すことが可能になり、トイレットペーパーとして使用できる。
・  図2は、図1で作成された 太筒芯13 の摘み部3 を指先14 で摘み、上方向に引っ張り、糊着け部15を太筒芯13 から剥した時の斜視図である。
・  図3は、蛇腹型の凹凸を持つ紙製太筒芯成形用内側芯部材を巻軸として、略硬く巻き重ね積層を形成したトイレットペーパーを、蛇腹型の凹凸を持つ紙製太筒芯成形用外側覆部材が、圧力を掛けつつ略嵌合して作成した、蛇腹型の凹凸を持つ太筒芯16の斜視図である。
・  図４は、格子型の凹凸を持つ紙製太筒芯成形用内側芯部材を巻軸として、略硬く巻き重ね積層を形成したトイレットペーパーを、格子型の凹凸を持つ紙製太筒芯成形用外側覆部材が、圧力を掛けつつ略嵌合して作成した、格子型の凹凸を持つ太筒芯17の斜視図である。
・  図2の太筒芯13、図3の太筒芯16、図4太筒芯17 の各太筒芯に、圧力を掛け圧縮して凹凸を形成することで、ボール紙製の太筒芯と同じように強度を持たせることが可能になり、更にトイレットペーパーとして使用する際には柔らかな肌触りが確保できる。
・  尚、紙製太筒芯成形用内側芯部材を巻軸として、数巻き略硬く巻き付け積層を形成したトイレットペーパーを、切断することなく、太筒芯が成形された後そのまま巻き続けて、トイレットペーパーロールとして製品にすることは技術的に可能だが、本考案の延長上にあることは自明であり、「新たに資本を投入して、製造工程の刷新を図る必要がなく、現在稼動している工場の設備を使用して、工場の製造工程はそのまま」、という本考案の主旨に沿わないため、掲載することを割愛した。
【産業上の利用可能性】
【０００７】
本考案の太筒芯を使用することで、新たに資本を投入して、製造工程の刷新を図る必要がなく、現在稼動している工場の設備を使用して、工場の製造工程もそのままで、地球環境に配慮したトイレットペーパーロールが製造可能なので、産業上の利用可能性は大きい。
【図面の簡単な説明】
【０００８】
【図１】紙製太筒芯成形用内側芯部材とトイレットペーパー、紙製太筒芯成形用外側     覆部材の斜視図
【図２】摘み部を指先で摘んで上方向に引き上げ、糊着け部を剥した太筒芯の斜視図
【図３】蛇腹型の凹凸を持つ太筒芯の斜視図
【図４】格子型の凹凸を持つ太筒芯の斜視図
【符号の説明】
【０００９】
1 トイレットペーパー
2 トイレットペーパーの積層
3 トイレットペーパーの摘み部
4 紙製太筒芯成形用内側芯部材本体
5 紙製太筒芯成形用内側芯部材の凸部
6 紙製太筒芯成形用内側芯部材の凹部
7 紙製太筒芯成形用内側芯部材の間隙
8 紙製太筒芯成形用内側芯部材の内空間
9 紙製太筒芯成形用外側覆部材本体
10 紙製太筒芯成形用外側覆部材の凸部
11紙製太筒芯成形用外側覆部材の凹部
12 紙製太筒芯成形用外側覆部材の間隙
13 図1で作成された太筒芯
14 指先
15 糊着け部
16 蛇腹型の凹凸を持つ太筒芯
17 格子型の凹凸を持つ太筒芯
【図１】
0003133430.tif 000003
【図２】
0003133430.tif 000004
【図３】
0003133430.tif 000005
【図４】
0003133430.tif 000006